(57)【要約】【課題】 記録と同時に補正を行うリアルタイム補正において、再生信号の検出に有効な手法を提供する。【解決手段】  レーザダイオード１１０から出力されたレーザ光を、回折格子１１４を用いて分岐することで、複数のビームスポットを形成し、そのうちの一つを記録用のビームスポットとして使用するとともに、他の一つを再生用のビームスポットとして使用する。そして、これらのビームスポットから得られた反射光をディテクタ１２２でそれぞれ独立に検出し、記録用レーザ光がＯＮ状態の期間をゲート信号として、再生用ビームスポットから得られたＲＦ信号にマスクをかけることで、記録用レーザ光がＯＮ状態で再生されたピットを選択的に検出する。【選択図】  図１
2006040508.tif 000002
【特許請求の範囲】
【請求項１】
記録用レーザ光のパルス照射により光記録メディアにピットを形成すると同時に、再生用レーザ光の照射により前記ピットの検出を行う光情報記録装置において、
前記記録用レーザ光のパルス照射は、高出力領域および低出力領域の少なくとも２つの出力領域を有する記録パルスに基づいて行われ、
前記ピットの検出は、前記記録用レーザ光が前記高出力領域で照射されている期間内に行われることを特徴とする光情報記録装置。
【請求項２】
記録用レーザ光のパルス照射により光記録メディアにピットを形成すると同時に、再生用レーザ光の照射により前記ピットの検出を行う光情報記録装置において、
前記記録用レーザ光のパルス照射は、高出力領域および低出力領域の少なくとも２つの出力領域を有する記録パルスに基づいて行われ、
前記再生用レーザ光のパルス照射は、前記記録用レーザ光のパルス照射と同期したタイミングで行われ、
前記ピットの検出は、前記再生用レーザ光の高出力領域内に行われることを特徴とする光情報記録装置。
【請求項３】
記録用レーザ光のパルス照射により光記録メディアにピットを形成すると同時に、再生用レーザ光の照射により前記ピットの検出を行う光情報記録装置において、
前記記録用レーザ光のパルス照射は、高出力領域および低出力領域の少なくとも２つの出力領域を有する記録パルスに基づいて行われ、
前記高出力領域は、前記記録パルスのレベルが一定となる定出力領域を有し、
前記ピットの検出は、前記記録用レーザ光が前記定出力領域で照射されている期間内に行われることを特徴とする光情報記録装置。
【請求項４】
記録用レーザ光のパルス照射により光記録メディアにピットを形成すると同時に、再生用レーザ光の照射により前記ピットの検出を行う光情報記録装置において、
前記記録用レーザ光のパルス照射は、高出力領域および低出力領域の少なくとも２つの出力領域を有する記録パルスに基づいて行われ、
前記高出力領域は、前記記録パルスのレベルが一定となる定出力領域を有し、
前記再生用レーザ光のパルス照射は、前記記録用レーザ光のパルス照射と同期したタイミングで行われ、
前記ピットの検出は、前記再生用レーザ光の定出力領域内に行われることを特徴とする光情報記録装置。
【請求項５】
一のレーザ光を分岐して記録用レーザ光と再生用レーザ光とを生成し、該記録用レーザ光のパルス照射により光記録メディアにピットを形成するとともに、前記再生用レーザ光の照射により前記ピットの検出を行う光情報記録装置において、
高出力領域および低出力領域の少なくとも２つの出力領域を有する記録パルスを生成するパルス生成手段と、
前記記録パルスの高出力領域を用いて、前記再生用レーザ光の照射により得られた再生信号にマスクをかけるマスク手段と
を具備することを特徴とする光情報記録装置。
【請求項６】
一のレーザ光を分岐して記録用レーザ光と再生用レーザ光とを生成し、該記録用レーザ光のパルス照射により光記録メディアにピットを形成するとともに、前記再生用レーザ光の照射により前記ピットの検出を行う光情報記録装置において、
高出力領域および低出力領域の少なくとも２つの出力領域を有する記録パルスを生成するパルス生成手段と、
前記高出力領域のうち、前記記録パルスのレベルが一定となる定出力領域を特定する手段と、
前記記録パルスの定出力領域を用いて、前記再生用レーザ光の照射により得られた再生信号にマスクをかけるマスク手段と
を具備することを特徴とする光情報記録装置。
【請求項７】
一のレーザ光を分岐して記録用レーザ光と再生用レーザ光とを生成し、該記録用レーザ光のパルス照射により光記録メディアにピットを形成するとともに、前記再生用レーザ光の照射により前記ピットの検出を行う光情報記録装置において、
高出力領域および低出力領域の少なくとも２つの出力領域を有する記録パルスを生成するパルス生成手段と、
前記記録パルスの高出力領域を用いてゲート信号を生成するゲート信号生成手段と、
前記記録用レーザ光と前記再生用レーザ光との時間差を特定する手段と、
前記ゲート信号よりも短い長さを有する検出対象パルスを特定する手段と、
前記時間差を考慮したときに、前記ゲート信号内に前記検出対象パルスが含まれるタイミングで、前記再生用レーザ光の照射により得られた再生信号を取得するピット検出手段と
を具備することを特徴とする光情報記録装置。
【請求項８】
一のレーザ光を分岐して記録用レーザ光と再生用レーザ光とを生成し、該記録用レーザ光のパルス照射により光記録メディアにピットを形成するとともに、前記再生用レーザ光の照射により前記ピットの検出を行う光情報記録装置において、
第１のパルスと第２のパルスとの論理和を取ることで、記録パルスを生成するパルス生成手段と、
前記記録パルスに基づいて、前記記録用レーザ光のパルス照射を行う手段と、
前記第１のパルスの反転信号と前記第２のパルスとの論理積を取ることで、ゲートパルスを生成するゲートパルス生成手段と、
前記ゲートパルスに基づいて、前記再生用レーザ光の照射により得られた再生信号を取得するピット検出手段と
を具備することを特徴とする光情報記録装置。
【発明の詳細な説明】
【技術分野】
【０００１】
この発明は、光情報記録装置に関し、特に、リアルタイムで記録条件の補正が可能な光情報記録装置に関する。
【背景技術】
【０００２】
光ディスク等の光情報録媒体への情報記録は、記録データをＥＦＭ(Eight to Fourteen Modulation)方式や８−１６変調方式で変調し、この変調信号に基づき記録パルスを形成し、この記録パルスに基づいてレーザ光の強度や照射タイミングを制御し、光ディスク上に記録ピットを形成することにより行われる。
【０００３】
ここで、記録ピットの形成は、レーザ光の照射により生ずる熱を利用して行われるため、記録パルスは、蓄熱効果や熱干渉等を考慮した設定が要求される。そこで、従来から、記録パルスを構成する各種パラメータの設定を光ディスクの種類ごとにストラテジという形で複数定義し、これらストラテジのうち当該記録環境に最適なものを選択して、光ディスクに対する記録を行っていた。
【０００４】
このストラテジは、例えば、ピックアップのスポット径ばらつき、機構精度ばらつき等の光情報記録装置の個体差に依存するだけでなく、記録再生に使用する光ディスクのメーカ種別および記録スピードにも依存するため、最適ストラテジを設定することが記録品位の向上になる。
【０００５】
このため、各メーカ種別に対応する光ディスクの最適ストラテジを求めて、これを各メーカ種別に対応して予めメモリに記憶し、光ディスクに対する情報の記録に際しては、光ディスクに記録されている光ディスクのメーカ種別を読み取り、この読み取ったメーカ種別に対応する最適ストラテジを上記メモリから読み出して使用する手法が提案されている。
【０００６】
しかし、上記手法によると、メモリに予め記憶されたメーカ種別の光ディスクに対しては最適記録が可能になるが、メモリに記憶されていないメーカ種別の光ディスクに対しては最適記録を行うことができず、また、メモリに予め記憶されたメーカ種別の光ディスクであっても記録スピードが異なると、この場合も最適記録を行うことができない。
【０００７】
そこで、下記の特許文献１乃至４に示されるように、記録条件毎に予めテスト記録を行い、このテスト記録に基づき最適ストラテジを決定することで各種光ディスクに対応できるようにした手法も多数提案されている。
【特許文献１】特開平５−１４４００１号公報
【特許文献２】特開平４−１３７２２４号公報
【特許文献３】特開平５−１４３９９９号公報
【特許文献４】特開平７−２３５０５６号公報  しかし、上記特許文献１乃至４に示された手法では、情報記録を開始する前にテスト記録を行う必要があるため、記録と同時にストラテジを補正することができず、内外周の最適条件が異なる場合への対応が困難である。
【０００８】
この課題、即ち、光ディスクは内周部から外周部にかけて若干記録特性が異なり、記録装置側でも内周部と外周部で記録速度が異なる場合があるため、記録品位に内外差が生じるという課題を解決する手法として、内外差をレーザ出力の調整によって緩和する技術が下記の特許文献に示されている。
【特許文献５】特開昭５３−０５０７０７号公報  この特許文献５には、補助ビームの光量変化を検出することによって自動的にレーザ出力の最適化を行う手法が開示されており、この種の手法はＯＰＣと称される。
【０００９】
上記のようなＯＰＣは、パワーを調整する手法であるため、アシンメトリ値等の統計的な指標で補正条件を求めることができるため、記録しながら補正を行うリアルタイム補正も可能であるが、パルス幅やパルスの位相条件を補正する場合は、記録パルスと光ディスク上に形成されたピットとのずれ量を検出する必要があるため、従来のＯＰＣでは対応が困難である。
【００１０】
よって、パルス条件のリアルタイム補正を行うためには、記録と同時にピットの位置や長さを検出する技術が必要になる。これに対する一つのアプローチとして、記録場所とほぼ同一場所を再生する技術が下記の特許文献６に開示されている。
【特許文献６】特開昭５１−１０９８５１号公報  しかし、この手法は、光磁気記録には適用可能であるが、磁気を用いない光記録に対しては適用が困難である。即ち、光磁気記録では、磁気の変調によって情報の記録が行われるため、レーザの出力は無変調になるが、光記録では、レーザの出力変調によって情報の記録が行われるため、この変調の影響が再生側に及ぶという課題が生じる。
【００１１】
この課題を解決する手法としては、下記文献に示された手法が知られている。
【特許文献７】特開平１−２８７８２５号公報
【特許文献８】特開平７−１２９９５６号公報
【特許文献９】特開２００４−２２０４４号公報
【特許文献１０】特開平９−１４７３６１号公報  特許文献７は、未記録エリア及び記録エリアに別個のビームを照射し、得られた別々の信号同士で除算することによって再生信号を取り出す技術であり、この手法によれば、情報の記録時にレーザの光強度変調による再生信号波形の崩れを補正することができる。
【００１２】
また、特許文献８は、変調を受けた出力をＡＧＣ（Ａｕｔｏ  Ｇａｉｎ  Ｃｏｎｔｒｏｌ）によって適宜増幅されたレーザ出力と逆相クロックで相殺することによって再生信号を得る技術である。
【００１３】
また、特許文献９は、記録パルスの波形変動に伴う再生信号の歪みを、当該記録パルスの波形変動に相当する信号を遅延反転等価回路により作成し相殺することによってキャンセルする技術である。
【００１４】
これら特許文献７乃至９に示された手法は、いずれも演算によって変調成分をキャンセルする技術であり、理論上は相殺可能と考えられるが、相殺の精度や演算速度の点で実用化には各種の課題が残る。
【００１５】
また、特許文献１０は、記録に用いられるパルスを遅延した遅延パルス、及び被変調信号を反転したゲート信号を用い、再生パルスと共に位相比較器に入れることによって、記録状態のずれをリアルタイムに検出する技術である。
【００１６】
しかし、この特許文献１０に開示された手法では、記録パルスがＯＦＦの時にピットの再生を行っているため、サブビームの出力が低い場合には、十分な品位の再生信号を得ることが困難である。特に、再生用のサブビームを記録用のメインビームから分岐して生成する構成においては、分岐比率が２０：１や３０：１になると、サブビームに十分な出力を割り当てることが困難となる。
【００１７】
即ち、特許文献１０の分岐比率は８：１であるが、記録速度の高速化に伴ってこの分岐比が大きくなる傾向にあり、また、記録パルスのＯＦＦ時のビーム出力は、通常１ｍＷ以下であるため、記録パルスＯＦＦ時に検出できる記録面反射光の強度は非常に小さくなってしまう。検出できる光の強度が弱くなると、回路ノイズ、メディアノイズ等の影響を受けやすくなるため、結果として良好な検出信号が得られなくなる。
【発明の開示】
【発明が解決しようとする課題】
【００１８】
そこで、本発明は、記録と同時に補正を行うリアルタイム補正において、再生信号の検出に有効な手法を提供する。
【課題を解決するための手段】
【００１９】
上記目的を達成するため、本発明の第１の手段は、記録用レーザ光のパルス照射により光記録メディアにピットを形成すると同時に、再生用レーザ光の照射により前記ピットの検出を行う光情報記録装置において、前記記録用レーザ光のパルス照射は、高出力領域および低出力領域の少なくとも２つの出力領域を有する記録パルスに基づいて行われ、前記ピットの検出は、前記記録用レーザ光が前記高出力領域で照射されている期間内に行われることを特徴とする。
【００２０】
ここで、高出力領域とは、記録パルスがＯＮ状態となる領域を意味し、低出力領域とは、記録パルスがＯＦＦ状態となる領域を意味する。
【００２１】
このように、ピットの検出を記録用レーザ光の高出力領域で行うことで、再生用レーザ光が分岐により生成される場合であっても、再生光の出力を確保することができる。特に、記録用レーザ光と再生用レーザ光の分岐比率が大きく、再生用レーザ光に十分な出力を確保しづらい場合に本手法が有効である。
【００２２】
即ち、ピットを記録している間は、通常の再生時よりも強い発光強度のレーザが出力されるため、この出力の高い条件を選択的に取り出して再生信号を取り込むことにより、比較的ノイズの少ない高精度な再生信号の検出が可能になる。
【００２３】
以上のようにして検出されたピット情報に基づいて、記録条件をリアルタイムに補正することで、内外周差の対応が図られる。尚、検出対象よりも長いピットを記録中に短いピットを読み取ることによってストラテジの最適化を行う手法も本発明に含まれ、記録動作を中断することなく記録直後の情報を直ちに読み取って記録信号のズレを検出し、該検出したズレに基づいてストラテジを補正する手法も本発明に含まれる。
【００２４】
また、本発明の第２の手段は、記録用レーザ光のパルス照射により光記録メディアにピットを形成すると同時に、再生用レーザ光の照射により前記ピットの検出を行う光情報記録装置において、前記記録用レーザ光のパルス照射は、高出力領域および低出力領域の少なくとも２つの出力領域を有する記録パルスに基づいて行われ、前記再生用レーザ光のパルス照射は、前記記録用レーザ光のパルス照射と同期したタイミングで行われ、前記ピットの検出は、前記再生用レーザ光の高出力領域内に行われることを特徴とする。
【００２５】
このように、再生用レーザ光を記録用レーザ光と同期させ、再生用レーザ光の高出力領域でピット検出を行うことで、高精度な信号検出が可能となる。尚、同期の態様としては、回折による分岐、２ビーム照射、ツインレーザ駆動を含む。
【００２６】
また、本発明の第３の手段は、記録用レーザ光のパルス照射により光記録メディアにピットを形成すると同時に、再生用レーザ光の照射により前記ピットの検出を行う光情報記録装置において、前記記録用レーザ光のパルス照射は、高出力領域および低出力領域の少なくとも２つの出力領域を有する記録パルスに基づいて行われ、前記高出力領域は、前記記録パルスのレベルが一定となる定出力領域を有し、前記ピットの検出は、前記記録用レーザ光が前記定出力領域で照射されている期間内に行われることを特徴とする。
【００２７】
ここで、定出力領域とは、記録パルスがＯＮ状態であって、かつ、変調が少なく安定な領域を意味し、望ましくは一定時間以上の無変調状態が続く領域とする。より具体的には、記録パルスの高出力領域が長い１４Ｔや１１Ｔの定出力領域を用いることが望ましい。
【００２８】
このように、記録パルスの定出力領域内にピット検出を行うことで、変調の影響を避けることが可能になる。即ち、記録と再生で同一の光源を用いる場合であっても、記録パルスが急峻な変化なく安定した無変調領域を選択的に使用することで、高出力かつ定出力のレーザ光に基づくピットの検出が行われ、その結果、高精度な信号を得ることができる。また、本発明の第４の手段は、記録用レーザ光のパルス照射により光記録メディアにピットを形成すると同時に、再生用レーザ光の照射により前記ピットの検出を行う光情報記録装置において、前記記録用レーザ光のパルス照射は、高出力領域および低出力領域の少なくとも２つの出力領域を有する記録パルスに基づいて行われ、前記高出力領域は、前記記録パルスのレベルが一定となる定出力領域を有し、前記再生用レーザ光のパルス照射は、前記記録用レーザ光のパルス照射と同期したタイミングで行われ、前記ピットの検出は、前記再生用レーザ光の定出力領域内に行われることを特徴とする。
【００２９】
このように、再生用レーザ光を記録用レーザ光と同期させ、再生用レーザ光の定出力領域でピット検出を行うことで、高精度な信号検出が可能となる。
【００３０】
また、本発明の第５の手段は、一のレーザ光を分岐して記録用レーザ光と再生用レーザ光とを生成し、該記録用レーザ光のパルス照射により光記録メディアにピットを形成するとともに、前記再生用レーザ光の照射により前記ピットの検出を行う光情報記録装置において、高出力領域および低出力領域の少なくとも２つの出力領域を有する記録パルスを生成するパルス生成手段と、前記記録パルスの高出力領域を用いて、前記再生用レーザ光の照射により得られた再生信号にマスクをかけるマスク手段とを具備することを特徴とする。
【００３１】
このように、記録パルスの高出力領域で再生信号をマスクすることで、高出力のレーザ光で再生された信号を選択的に取り出すことが可能になる。尚、マスクの態様としては、再生用レーザ光により得られたＲＦ信号をマスクする手法、２値化後の再生信号をマスクする手法を含む。
【００３２】
また、本発明の第６の手段は、一のレーザ光を分岐して記録用レーザ光と再生用レーザ光とを生成し、該記録用レーザ光のパルス照射により光記録メディアにピットを形成するとともに、前記再生用レーザ光の照射により前記ピットの検出を行う光情報記録装置において、高出力領域および低出力領域の少なくとも２つの出力領域を有する記録パルスを生成するパルス生成手段と、前記高出力領域のうち、前記記録パルスのレベルが一定となる定出力領域を特定する手段と、前記記録パルスの定出力領域を用いて、前記再生用レーザ光の照射により得られた再生信号にマスクをかけるマスク手段とを具備することを特徴とする。
【００３３】
このように、記録パルスの定出力領域で再生信号をマスクすることで、高出力かつ安定状態のレーザ光で再生された信号を選択的に取り出すことが可能になる。
【００３４】
また、本発明の第７の手段は、一のレーザ光を分岐して記録用レーザ光と再生用レーザ光とを生成し、該記録用レーザ光のパルス照射により光記録メディアにピットを形成するとともに、前記再生用レーザ光の照射により前記ピットの検出を行う光情報記録装置において、高出力領域および低出力領域の少なくとも２つの出力領域を有する記録パルスを生成するパルス生成手段と、前記記録パルスの高出力領域を用いてゲート信号を生成するゲート信号生成手段と、前記記録用レーザ光と前記再生用レーザ光との時間差を特定する手段と、前記ゲート信号よりも短い長さを有する検出対象パルスを特定する手段と、前記時間差を考慮したときに、前記ゲート信号内に前記検出対象パルスが含まれるタイミングで、前記再生用レーザ光の照射により得られた再生信号を取得するピット検出手段とを具備することを特徴とする。
【００３５】
このように、ゲート信号よりも短い長さのピットを選択的に検出することで、より確実なピット検出を行うことが可能になる。即ち、長いピットを記録する場合には、短いピットを記録する場合よりも、レーザ出力の高い状態が維持される時間が長くなる。よって、記録用レーザ光の発光時間の長さ以内に、これよりも短い記録時間を持つ記録ピットを再生用レーザ光によって選択的に検出することで、ピットの長さや位相情報を確実に取得することが可能になる。
【００３６】
尚、ゲート信号の利用態様としては、下記のものを含む。
【００３７】
検出対象よりも長いピットの記録パルスに対応するゲート信号を作成し、再生検出用ビームスポットの検出信号との比較を行うことによって、長いピット記録中の再生信号だけを選択的に取り出す。
【００３８】
検出対象よりも相対的に長いピットの記録パルスに対応するゲート信号を作成し、再生検出用ビームスポットの検出信号との比較を行うことによって、長いピットの記録パルスだけを選択的に取り出す。
【００３９】
また、本発明の第８の手段は、一のレーザ光を分岐して記録用レーザ光と再生用レーザ光とを生成し、該記録用レーザ光のパルス照射により光記録メディアにピットを形成するとともに、前記再生用レーザ光の照射により前記ピットの検出を行う光情報記録装置において、第１のパルスと第２のパルスとの論理和を取ることで、記録パルスを生成するパルス生成手段と、前記記録パルスに基づいて、前記記録用レーザ光のパルス照射を行う手段と、前記第１のパルスの反転信号と前記第２のパルスとの論理積を取ることで、ゲートパルスを生成するゲートパルス生成手段と、前記ゲートパルスに基づいて、前記再生用レーザ光の照射により得られた再生信号を取得するピット検出手段とを具備することを特徴とする。
【００４０】
このように、記録用レーザ光を駆動するためのパルス要素を利用して、再生信号マスク用のゲートパルスを生成することで、ゲート信号生成の効率化が図られる。
【発明の効果】
【００４１】
以上説明したように、本発明によれば、レーザ光が高出力の状態でピットの検出が行われるため、より高精度なリアルタイム補正が可能になる。
【発明を実施するための最良の形態】
【００４２】
以下、本発明に係る光情報記録装置について添付図面を参照して詳細に説明する。尚、本発明は、以下説明する実施形態に限らず適宜変更可能である。
【００４３】
図１は、本発明に係るドライブの内部構成を示すブロック図である。同図に示すように、このドライブ１００は、レーザダイオード１１０から出力されたレーザ光を用いて、光ディスク５００に対する情報の記録再生を行い、パーソナルコンピュータ６００等の外部装置との間でデータの送受信を行う。
【００４４】
光ディスク５００に対して情報の記録を行う場合は、パーソナルコンピュータ６００からインターフェース回路２１８を介して受信した記録データをＥＦＭエンコーダ／デコーダ２１６で符号化し、この符号化した記録データをＣＰＵ２１２で処理することで、当該光ディスク５００に対する記録条件となるストラテジを決定し、このストラテジをパルス生成回路３００で記録パルスに変換し、この記録パルスをＬＤドライバ１２４に出力する。
【００４５】
ＬＤドライバ１２４は、入力された記録パルスに基づいてレーザダイオード１１０を駆動し、レーザダイオード１１０は、この記録パルスに対応して出力レーザ光を制御し、この制御されたレーザ光をコリメータレンズ１１２、回折格子１１４、ハーフミラー１１６、対物レンズ１１８を介して、線速一定若しくは回転速度一定で回転する光ディスク５００に照射し、これにより光ディスク５００に、所望の記録データに対応したピット、スペース列からなる記録パターンが記録される。
【００４６】
一方、光ディスク５００上に記録された情報の再生を行う場合は、レーザダイオード１１０から再生レーザ光がコリメータレンズ１１２、回折格子１１４、ハーフミラー１１６、対物レンズ１１８を介して、光ディスク１０に照射される。
【００４７】
この時、再生レーザ光は、記録時のレーザ光よりも強度の低いレーザ光が用いられ、この再生レーザ光による光ディスク５００からの反射光が対物レンズ１１８、ハーフミラー１１６、受光レンズ１２０を介してディテクタ１２２で受光され、電気信号に変換される。
【００４８】
ディテクタ１２２から出力される電気信号は、光ディスク５００に記録されたピット、スペースからなる記録パターンに対応しており、この電気信号がスライサ２１０で２値化され、さらにＥＦＭエンコーダ／デコーダ２１６で、デコードされて再生信号として出力される。
【００４９】
図２は、図１に示したドライブ内に組み込まれるピックアップ部の構造を示す分解斜視図である。同図に示すように、レーザダイオード１１０と光ディスク５００の盤面との間に設けられた回折格子は、２枚の回折格子１１４−１、１１４−２で構成され、各回折格子には、方向の異なる溝１１５−１、１１５−２がそれぞれ形成される。
【００５０】
このように構成される回折格子にレーザ光２０が入射すると、第１の回折格子１１５−１で３つのレーザ光に分岐し、さらに、第２の回折格子１１５−２で３つのレーザ光に分岐して、５つのスポット２０Ａ〜２０Ｅが光ディスクの盤面に照射される。
【００５１】
図３は、光ディスクの盤面上に照射されたスポットの配置を示す平面図である。同図に示すように、光ディスク５００の盤面上には、記録用メインビーム２０Ａ、トラッキング用先行サブビーム２０Ｂ、トラッキング用後行サブビーム２０Ｃ、再生用先行サブビーム２０Ｄ、再生用後行サブビーム２０Ｅが照射される。
【００５２】
ここで、記録用メインビーム２０Ａは、光ディスク５００に形成されたグループ５０２−２上に照射され、このビームスポットの照射によって、グルーブ５０２−２内にピット５０６が形成される。この記録用メインビーム２０Ａは、ヒートモードによるピットの形成を可能とするために最も発光強度が高く設定される。
【００５３】
トラッキング用先行サブビーム２０Ｂは、メインビーム２０Ａが照射されたグルーブ５０２−２と隣接するランド５０４−３上に照射され、トラッキング用後行サブビーム２０Ｃは、メインビーム２０Ａが照射されたグルーブ５０２−２と隣接するランドであって、サブビーム２０Ｂが照射されたランドとは反対側のランド５０４−２に照射される。
【００５４】
再生用先行サブビーム２０Ｄは、メインビーム２０Ａが照射されたグルーブと同一のグルーブ５０２−２上であって、メインビーム２０Ａよりも先行した位置に照射され、再生用後行サブビーム２０Ｅは、メインビーム２０Ａが照射されたグルーブと同一のグルーブ５０２−２上であって、メインビーム２０Ａよりも後ろの位置に照射される。
【００５５】
各スポットをこのように配置することで、メインビーム２０Ａによって形成された記録パターン、即ち、ピット５０６とスペース５０８の組み合わせで構成される記録パターンを再生用後行サブビーム２０Ｅで検出することが可能になる。
【００５６】
図４は、光ディスクの盤面上に照射されるスポットとディテクタとの関係を示す概念図である。同図に示すように、図１に示したディテクタ１２２は、１２２Ａ〜１２２Ｅまでの５つの受光部で構成され、各受光部には、スポット２０Ａ〜２０Ｅに対応する反射光２２Ａ〜２２Ｅがそれぞれ照射され、電気信号に変換される。
【００５７】
図５は、記録パルスの形状と安定領域との関係を示す概念図である。同各図に示すように、図１に示したＬＤドライバ１２４から出力される記録パルスには、様々な形状があり、それぞれ、記録パルスのＯＮ状態を示す高出力領域５０と、ＯＦＦ状態を示す低出力領域５２と、ＯＮ状態であって変調が少ない定出力領域５４とを備える。
【００５８】
より具体的には、同図（ａ）は、ＯＮ状態で一定の出力となる記録パルスであり、同図（ｂ）は、先頭部と後続部で高さが異なる記録パルスであり、同図（ｃ）は、先頭部、中間部、後端部で高さが異なる記録パルスであり、同図（ｄ）は、先頭部に定出力部が形成された後、後続部で出力を数回変化させた記録パルスである。
【００５９】
本発明では、記録パルスがＯＮとなった状態で、再生信号を取り込むことを意図しているため、後述するゲート信号は、高出力領域５０に対応させて生成することが望ましいが、より望ましくは、変調の影響を受けにくい定出力領域５４に対応させて生成する。この定出力領域５４は、便宜上、高出力領域５０の中で最も安定した状態の長い区間と定義するが、安定状態が最も長い区間よりも短い安定領域であっても、定出力領域として使用することが可能である。尚、以後の説明では、同図（ｃ）のキャッスル型と称されるパルス形状を例に説明するが、本発明は、他の記録パルスにも適用可能である。
【００６０】
例えば、同図に示すような相変化型の光ディスクで用いられる記録パワーに適用する場合には、高出力と低出力との繰り返しにより相変化材料が急冷されてアモルファス（非結晶）状態となる高出力領域５０と、メインビームでサーボがかかる程度の０．７〜１ｍＷ程度のパワーが出力される低出力領域５２と、ゆっくり冷却されて結晶状態になる定出力領域５４とで構成される記録パルスのうち、消去パワーに相当する定出力領域５４に対応させてゲート信号を生成し、この定出力領域５４にサブビームで再生された信号を取り込む構成とすれば良い。
【００６１】
図６は、図１に示したパルス生成回路の内部構成を示す回路ブロック図である。同図に示すように、本パルス生成回路３００では、図１のＣＰＵ２１２から送出されたストラテジ条件ＳＤ１、ＳＤ２をパルスユニット生成回路３１０−１、３１０−２でそれぞれ受信し、クロック信号ＣＬＫに同期したパルス信号ＰＷ１、ＰＷ２を生成する。
【００６２】
ここで、ストラテジ条件ＳＤ１、ＳＤ２は、パルスのＯＮ期間とＯＦＦ期間の長さをクロック数で示した数値データとして定義されており、これらのデータを受けたパルスユニット生成回路３１０−１、３１０−２は、ドライブ内で生成されたクロック信号ＣＬＫを用いて、ストラテジ条件ＳＤ１、ＳＤ２が示す条件のパルス信号を生成する。
【００６３】
これらのパルス信号ＰＷ１、ＰＷ２は、図１のＬＤドライバ１２４に出力されるとともに、ＡＮＤ演算器３１６でパルス信号ＰＷ１の反転信号とパルス信号ＰＷ２との論理積が取られ、ゲート信号Ｇａｔｅとして図１のマスク回路４００に出力される。尚、パルス信号ＰＷ１の反転信号は、反転回路３１４によって生成される。
【００６４】
図７は、図６に示したゲート信号の生成概念を示すタイミングチャートである。同各図に示すように、記録パルスの定出力領域に対応したゲート信号は、記録パルスの構成要素となるパルス信号ＰＷ１、ＰＷ２を用いて生成される。即ち、同図（ｂ）および（ｃ）に示すように、パルス信号ＰＷ１、ＰＷ２は、同図（ａ）のクロック信号ＣＬＫと同期して生成され、このパルス信号ＰＷ１から、同図（ｄ）に示す反転信号が生成される。
【００６５】
そして、同図（ｃ）のパルス信号ＰＷ２と同図（ｄ）に示す反転信号とのレベルを同各図に示すように定義して論理積を取ると、同図（ｅ）に示すゲート信号が得られる。その結果、このようにして得られたゲート信号は、記録パルスの定出力領域に対応したものとなる。
【００６６】
図８は、図１に示したＬＤドライバの内部構成を示す回路図である。同図に示すように、ＬＤドライバ１２４は、抵抗Ｒ１、Ｒ２を用いた分圧回路と、これらの出力電圧を合成する合成器１２６とで構成され、パルス生成回路３００からのパルス信号ＰＷ１、ＰＷ２は、抵抗Ｒ１、Ｒ２を介して所定の出力レベルに増幅された後、合成器１２６にて論理和合成され、記録パルスＰＷＲが生成されて、図１のレーザダイオード１１０に出力される。
【００６７】
図９は、図１に示したマスク回路の内部構成を示す回路ブロック図である。同図に示すように、マスク回路４００は、２つのＡＮＤ演算器４１０−１、４１０−２で構成され、初段のＡＮＤ演算器４１０−１には、図１のパルス生成回路３００で生成されたゲート信号Ｇａｔｅと、図１のＣＰＵ２１２で生成されたフラグ信号Ｆｌａｇとが入力され、これらの論理積を取ったゲート信号Ｇａｔｅ’が後段のＡＮＤ演算器４１０−２に出力される。
【００６８】
ＡＮＤ演算器４１０−２は、このゲート信号Ｇａｔｅ’を用いて、図４のディテクタ１２２Ｅが出力する再生用後行サブビーム２０Ｅで再生されたＲＦ信号ＲＦ−Ｓｕｂにマスクをかけ、ゲート信号Ｇａｔｅ’に対応した部分のＲＦ信号ＲＦ−Ｓｕｂ’を抽出して、図１のスライサ２１０に出力する。その結果、記録パルスの定出力領域で再生されたＲＦ信号ＲＦ−Ｓｕｂ’が選択的に抽出されるため、精度の高いピット検出が行われる。
【００６９】
そして、この検出されたピットの長さや位相情報に基づいて、図１のＣＰＵ２１２がストラテジの補正条件を算出し、パルス生成回路３００に出力するストラテジ条件に補正をかける。その結果、データの記録中に記録条件が補正されるリアルタイム補正が行われる。
【００７０】
図１０は、記録パルスとゲートパルスと再生信号との関係を示すタイミングチャートである。同図（ａ）に示すように、記録パルスＰＷＲは、所定のデータパターンに対応してＯＮ／ＯＦＦが変化するパルスパターンとなる。ここで、最も長い無変調領域を有するピット１４Ｔの定出力領域５４をゲート信号として使用する場合を想定すると、図１のパルス回路３００で生成されるゲート信号Ｇａｔｅは、同図（ｂ）に示すタイミングで出力され、図１のＣＰＵ２１２で生成されるフラグ信号Ｆｌａｇは、同図（ｃ）に示すタイミングで出力され、図９のマスク回路４００内で生成されるゲート信号Ｇａｔｅ’は、同図（ｄ）に示すタイミングで出力され、このゲート信号Ｇａｔｅ’を用いて同図（ｅ）のＲＦ−Ｓｕｂ信号を抽出した結果が同図（ｆ）のＲＦ−Ｓｕｂ’信号となる。
【００７１】
このように、最終的に抽出された再生信号ＲＦ−Ｓｕｂ’は、記録パルスＰＷＲの定出力領域５４で再生された信号であるため、この信号を用いることで高精度なピットの検出が可能となり、ひいてはストラテジの正確な補正が可能となる。
【００７２】
図１１は、図１に示したＣＰＵが実行するフラグ信号の生成手法を示す概念図である。同図に示す例は、ピット１４Ｔの定出力領域内に存在するスペース４Ｔを選択的に検出する場合の例である。同図に示すように、ＣＰＵ２１２は、記録パルスのデータ長に対応する数値を順次メモリ２１４に蓄積し、ピット１４Ｔ（同図中、「Ｐ１４」と示す）の定出力領域内にスペース４Ｔ（同図中、「Ｌ４」と示す）が存在するデータを特定し、この特定したピット１４Ｔのデータにフラグを立てる。
【００７３】
ここで、記録用のメインビームと再生用のサブビームとの時間差をτと定義すると、ＣＰＵ２１２は、時間差τをクロック数で換算し、ピット１４Ｔからスペース４Ｔまでの間に存在するデータ長を時間差τと比較する。その結果、ピット１４Ｔから時間差τ離れた領域であって、かつ、このピット１４Ｔの定出力領域に相当する範囲内にスペース４Ｔのデータが存在していれば、当該ピット１４Ｔにフラグを立て、図１０に示したタイミングでフラグ信号Ｆｌａｇを出力する。
【００７４】
図１２は、記録用のメインビームと再生用のサブビームとの関係を示すタイミングチャートである。同図（ａ）に示すように、記録用メインビームの出力は、ピットの形成に必要な高出力のパルスパターンとなり、このパルス照射によって光ディスク上に形成されたピットパターンは、同図（ｂ）に示すようになる。
【００７５】
一方、同図（ｃ）に示すように、再生用サブビームの出力は、記録用メインビームの出力パターンと同一のタイミングであって、記録用メインビームよりも分岐比率分だけ出力が縮小されたパルスパターンとなり、この再生用サブビームで再生されるピットパターンは、同図（ｄ）に示すように、記録中のピットから時間差τだけ遅れたパターンとなる。
【００７６】
従って、ピット１４Ｔの記録中に再生されたスペース４Ｔを検出する場合には、同図（ｅ）に示すように、記録パルスのパターンを時間差τだけ遅延させたパルスのスペース４Ｔと、記録パルスのピット１４Ｔの定出力領域とが重なる位置を特定すれば良いことになる。即ち、記録パルスのうち長いピットの定出力領域から第１のゲート信号を生成するとともに、記録パルスを時間差τだけ遅延させたパルスパターンのうち、検出対象とする短いピットまたはスペースに相当するパルスから第２のゲート信号を生成し、これら第１および第２のゲート信号を用いて、再生用サブビームから得られたＲＦ信号にマスクをかける構成が有用となる。
【００７７】
図１３は、記録パルスと、該記録パルスを遅延させたパルスと、ＲＦ信号との関係を示すタイミングチャートである。同各図に示すように、記録パルスＰＷＲを時間τだけ遅延させたパルスＰＷＲ’を生成し、記録パルスＰＷＲのピット１４Ｔの定出力領域内に、遅延パルスＰＷＲ’のスペース４Ｔが含まれる部分をゲート信号Ｇａｔｅ’とすれば、長いピットの記録中に短いピットまたはスペースを選択的に検出することが可能になり、その結果、ピットの長さズレや位相ズレを正確に検出することができる。
【００７８】
図１４は、長いピットの記録中に短いピットまたはスペースを検出する手法の例を示したブロック図である。同図は、図１のＥＦＭエンコーダ／デコーダ２１６により、メインビームが１４Ｔピットを記録する間にサブビーム下に存在する４Ｔスペースを検出する場合の構成例である。
【００７９】
このように構成する場合、ＥＦＭエンコーダ／デコーダ２１６は、同図に示すように、図１のスライサ２１０から入力された８ビットの２値化信号を一旦バッファ２５０−１に蓄積し、このバッファから出力された８ビットデータを変換テーブル２５２に従って１６ビットのデータに変換してバッファ２５０−２に出力する。このとき、遅延器２５４による時間Ｔの遅延操作が一変換ごとに行われる。
【００８０】
バッファ２５０−２に蓄積されたデータは、カウンタ２５６に出力され、パルス長ｎＴ（ｎ＝３〜１４）を示すデータとして、図１に示すＣＰＵ２１２を経て、パルス生成回路３００に出力され、該当する記録パルスが生成される。
【００８１】
図１５は、図１４に示したカウンタ２５６と図１のパルス生成回路３００との関係を示すブロック図である。同図に示すように、カウンタ２５６は、バッファ２５０−２からパルス生成回路３００に向けて流れるデータストリームの中から、１４Ｔピットに相当するビット列を特定する１４Ｔデコーダ２５８と、４Ｔスペースに相当するビット列特定する４Ｔデコーダ２５９とを具備する。
【００８２】
図１６は、図１４に示したバッファ２５０−２がビット列を蓄積する際の例を示す概念図である。同図（ｃ）に示すように、バッファ２５０−２には、同図（ａ）に示すクロック信号と同期した形でピットまたはスペースの長さを示すデータが格納される。
【００８３】
例えば、３Ｔの長さは、「１００」で表現し、４Ｔの長さは「１０００」で表現し、５Ｔの長さは「１００００」で表現し、１４Ｔの長さは「１０００００００００００００」で表現する。
【００８４】
よって、同図（ｂ）に示すようなパルスが入力された場合には、バッファ２５０−２に格納されるビット列は、同図（ｃ）に示すように、４Ｔスペースに相当する部分が「１０００」となり、１４Ｔピットに相当する部分が「１０００００００００００００」となり、各々のパルス幅がビット数で表現された形式で蓄積される。
【００８５】
ここで、記録用のメインビームと再生用のサブビームとの間隔が３００ビットに相当する場合には、同図（ｃ）に示すように、バッファ２５０−２に蓄積されたビット列の中から、現在記録中の１４Ｔピットの位置を特定し、該１４Ｔピットから３００ビット離れた位置に４Ｔスペースのビット列があるか否かを判定する。
【００８６】
その結果、４Ｔスペースのビット列があった場合には、メインビームによる１４Ｔピットの記録中に、サブビームによって４Ｔスペースを検出することができるタイミングと判断し、このタイミングで得られた信号を用いてリアルタイム補正の条件を決定する。
【００８７】
図１７は、１４Ｔピットの記録中に検出対象となる４Ｔスペースのバリエーションを示す概念図である。同図（ａ）に示すように、１４Ｔピットの記録パルスが高出力の３Ｔパルスと、安定出力の９Ｔパルスと、高出力の２Ｔパルスとで構成される場合には、安定出力領域内に収まる４Ｔスペースが検出対象となる。
【００８８】
よって、１４Ｔパルスの中央部に出現した４Ｔスペースを抽出することが最も望ましいが、これでは出現確率が低くなるため、４Ｔスペースの両端が１４Ｔピットの安定出力領域をはみ出さない場合も抽出対象となるようにカウンタ回路を設けておく。
【００８９】
例えば、同図（ａ）に示した１４Ｔピットのパルスから、同図（ｂ）に示したゲート信号を生成し、このゲート信号の中に収まる同図（ｃ）のハッチで示した４Ｔスペースが特定できるデータパターンを用意しておき、このデータパターンに合致するビット列を抽出する。
【００９０】
図１８は、長いピットの記録中に短いピットまたはスペースを検出する手法の別の例を示したブロック図である。同図に示す例は、ある時間内で発生するパルス数を基準として、長いピットの記録中に短いピットまたはスペースが存在するか否かを判定する例である。
【００９１】
同図に示した回路ブロックでは、スライサ２１０から出力された２値化信号ＳＬ  ＲＦ−Ｓｕｂ’を反転回路４２０−１を介してＡＮＤ演算器４２２に入力するとともに、図１のパルス生成回路３００から出力されるゲート信号ＧａｔｅをＡＮＤ演算器４２２に入力する。
【００９２】
ＡＮＤ演算器４２２は、これら入力された信号の論理積をカウンタ４２４のセット端子に出力し、この信号を受けたカウンタ４２４は、反転回路４２０−２で反転されたゲート信号が示す区間内に生じたパルス数を計数し、その結果を判定信号Ｄｅｔｅｃｔｉｏｎ  Ｅｎａｂｌｅとして、図１のＣＰＵ２１２に出力する。尚、反転回路４２０−２で反転されたゲート信号は、カウンタ４２４のリセット信号として使用される。
【００９３】
ＣＰＵ２１２は、この判定信号が示すパルス数が所定の数以上、例えば２回以上発生されたかを基準に１４Ｔピットの記録中に４Ｔスペースが存在するか否かを判定し、存在すると判定した場合に当該４Ｔスペースから得られた信号の取り込みを行う。
【００９４】
図１９は、図１８に示した回路ブロックの処理例を示すタイミングチャートである。同図（ａ）に示すように、スライサ２１０に入力された信号ＲＦ−Ｓｕｂ’は、あるレベルで２値化されて、同図（ｂ）に示すようなパルス信号ＳＬ  ＲＦ−Ｓｕｂ’が生成される。
【００９５】
そして、図１に示したパルス生成回路３００にて同図（ｃ）および（ｄ）に示す信号から生成された同図（ｅ）に示すゲート信号Ｇａｔｅと、反転回路４２０−１にて生成された同図（ｆ）に示す反転信号との論理積が取られることで、同図（ｇ）に示す判定信号Ｄｅｔｅｃｔｉｏｎ  Ｅｎａｂｌｅが生成される。
【００９６】
図２０は、図１８の回路ブロックにより生成された判定信号の判定基準を示す概念図である。同各図に示すように、この例では、同図（ａ）の区間内に２回以上のパルスをカウントした場合に、１４Ｔピットの記録中に１４Ｔの安定領域を示すゲート信号Ｇａｔｅ内に収まるスペース、例えば、３Ｔ〜７Ｔのスペースが存在すると判定され、この４Ｔスペースから得られた信号の取り込みが行われる。
【００９７】
よって、同図（ｂ）に示すように、ゲート信号内にパルスが２回カウント出来た場合は、１４Ｔピットの記録中に１４Ｔの安定領域を示すゲート信号Ｇａｔｅ内に収まるスペース、例えば、３Ｔ〜７Ｔのスペースが存在すると判定され、この４Ｔスペースから得られた信号が取り込まれる。他方、同図（ｃ）および（ｄ）に示すように、１回しかカウントできなかった場合は、１４Ｔピットの記録中に４Ｔスペースが存在しないと判定され、信号の取り込みは行われない。
【００９８】
図２１は、長いピットの記録中に短いピットまたはスペースを検出する手法の別の例を示したブロック図である。同図に示す例は、ゲート信号内で発生したパルスの長さを測定することで、長いピットの記録中に短いピットまたはスペースが存在するか否かを判定する例である。
【００９９】
同図に示した回路ブロックでは、ＡＮＤ演算器４２２により、スライサ２１０から出力された２値化信号ＳＬ  ＲＦ−Ｓｕｂ’と、図１のパルス生成回路３００から出力されたゲート信号Ｇａｔｅと、クロック信号ＣＬＫとの論理積が取られ、計数可能な信号Ｃｏｕｎｔａｂｌｅ  Ｐｕｌｓｅとしてカウンタ４２４のセット端子に入力され、カウンタ４２４によって当該信号の長さが計数される。尚、このカウンタには、リセットパルス生成回路４２６が生成したリセットパルスが入力される。
【０１００】
図２２は、図２１に示した回路ブロックの処理例を示すタイミングチャートである。同図（ａ）に示すように、スライサ２１０に入力された信号ＲＦ−Ｓｕｂ’は、あるレベルで２値化されて、同図（ｂ）に示すようなパルス信号ＳＬ  ＲＦ−Ｓｕｂ’が生成される。
【０１０１】
そして、図１に示したパルス生成回路３００にて生成された同図（ｃ）に示すゲート信号Ｇａｔｅと、同図（ｄ）に示すクロック信号ＣＬＫとの論理積が取られることで、同図（ｅ）に示す計数可能な信号Ｃｏｕｎｔａｂｌｅ  Ｐｕｌｓｅが生成される。尚、ここで取り上げたクロック信号は、「１Ｔ＝１周期」とした場合の例を用いて説明したが、より高速のクロック、例えば、「１Ｔ＝４０周期」のクロックを用いて長さ検出の分解能を向上させても良い。
【０１０２】
図２３は、図２１に示したリセットパルス生成回路４２６の処理例を示すタイミングチャートである。同図に示すように、リセットパルス生成回路４２６は、同図（ａ）に示すクロック信号ＣＬＫを２回に１回カウントして同図（ｂ）に示す中間信号ＣＬＫ／２を生成し、さらに、この中間信号ＣＬＫ／２を２回に１回カウントして同図（ｃ）に示す中間信号ＣＬＫ／４を生成する。
【０１０３】
そして、同図（ｄ）に示すように、同図（ｃ）の２回目の立ち上りに同期させて立ち上がり、ゲート信号Ｇａｔｅ相当の長さを走査したときに立ち下がるリセット信号Ｒｅｓｅｔを生成する。このリセット信号が図２１に示したカウンタ４２４のリセット端子に入力されることで、カウンタの計数結果がリセットされる。
【０１０４】
尚、同図（ａ）に示すクロック信号として「１Ｔ＝４０周期」の信号を用いる場合であって、ゲート信号Ｇａｔｅが９Ｔ相当の幅を有するときは、クロック信号を３６０回カウントしたときに同図（ｄ）に示すリセット信号Ｒｅｓｅｔが立ち下がり、カウンタ４２４がリセットされる。
【０１０５】
同様に、同図（ａ）に示すクロック信号として「１Ｔ＝２．５周期」の信号を用いる場合であって、ゲート信号Ｇａｔｅが９Ｔ相当の幅を有するときは、クロック信号を２２．５回カウントしたときに同図（ｄ）に示すリセット信号Ｒｅｓｅｔが立ち下がり、カウンタ４２４がリセットされる。ただし、「１Ｔ＝２．５周期」のようにクロック信号の周期が単位長Ｔの整数倍でない場合は、「２Ｔ＝５周期」のように整数倍として扱われる。
【産業上の利用可能性】
【０１０６】
本発明によれば、より高精度なリアルタイム補正が可能になるため、光ディスクの内外周で記録条件が変化する記録環境への適用が期待される。
【図面の簡単な説明】
【０１０７】
【図１】本発明に係るドライブの内部構成を示すブロック図である。
【図２】図１に示したドライブ内に組み込まれるピックアップ部の構造を示す分解斜視図である。
【図３】光ディスクの盤面上に照射されたスポットの配置を示す平面図である。
【図４】光ディスクの盤面上に照射されるスポットとディテクタとの関係を示す概念図である。
【図５】記録パルスの形状と安定領域との関係を示す概念図である。
【図６】図１に示したパルス生成回路の内部構成を示す回路ブロック図である。
【図７】図６に示したゲート信号の生成概念を示すタイミングチャートである。
【図８】図１に示したＬＤドライバの内部構成を示す回路図である。
【図９】図１に示したマスク回路の内部構成を示す回路ブロック図である。
【図１０】記録パルスとゲートパルスと再生信号との関係を示すタイミングチャートである。
【図１１】図１に示したＣＰＵが実行するフラグ信号の生成手法を示す概念図である。
【図１２】記録用のメインビームと再生用のサブビームとの関係を示すタイミングチャートである。
【図１３】記録パルスと、該記録パルスを遅延させたパルスと、ＲＦ信号との関係を示すタイミングチャートである。
【図１４】長いピットの記録中に短いピットまたはスペースを検出する手法の例を示したブロック図である。
【図１５】図１４に示したカウンタ２５６と図１のパルス生成回路３００との関係を示すブロック図である。
【図１６】図１４に示したバッファ２５０−２がビット列を蓄積する際の例を示す概念図である。
【図１７】１４Ｔピットの記録中に検出対象となる４Ｔスペースのバリエーションを示す概念図である。
【図１８】長いピットの記録中に短いピットまたはスペースを検出する手法の別の例を示したブロック図である。
【図１９】図１８に示した回路ブロックの処理例を示すタイミングチャートである。
【図２０】図１８の回路ブロックにより生成された判定信号の判定基準を示す概念図である。
【図２１】長いピットの記録中に短いピットまたはスペースを検出する手法の別の例を示したブロック図である。
【図２２】図２１に示した回路ブロックの処理例を示すタイミングチャートである。
【図２３】図２１に示したリセットパルス生成回路４２６の処理例を示すタイミングチャートである。
【符号の説明】
【０１０８】
２０…レーザ光、２０Ａ…記録用メインビーム、２０Ｂ…トラッキング用先行サブビーム、２０Ｃ…トラッキング用後行サブビーム、２０Ｄ…再生用先行サブビーム、２０Ｅ…再生用後行サブビーム、２２…反射光、５０…高出力領域、５２…低出力領域、５４…定出力領域、１００…ドライブ、１１０…レーザダイオード、１１２…コリメータレンズ、１１４…回折格子、１１５…溝、１１６…ハーフミラー、１１８…対物レンズ、１２０…受光レンズ、１２２…ディテクタ、１２４…ＬＤドライバ、１２６…合成器、２１０…スライサ、２１２…ＣＰＵ、２１４…メモリ、２１６…ＥＦＭエンコーダ／デコーダ、２１８…インターフェース回路、２５０…バッファ、２５２…変換テーブル、２５４…遅延器、２５６…カウンタ、２５８…１４Ｔデコーダ、２５９…４Ｔデコーダ、３００…パルス生成回路、３１０…パルスユニット生成回路、３１４…反転回路、３１６…ＡＮＤ演算器、４００…マスク回路、４１０…ＡＮＤ演算器、４２０…反転回路、４２２…ＡＮＤ演算器、４２４…カウンタ、４２６…リセットパルス生成回路、５００…光ディスク、５０２…グループ、５０４…ランド、５０６…ピット、５０８…スペース、６００…パーソナルコンピュータ
【図１】
2006040508.tif 000003
【図２】
2006040508.tif 000004
【図３】
2006040508.tif 000005
【図４】
2006040508.tif 000006
【図５】
2006040508.tif 000007
【図６】
2006040508.tif 000008
【図７】
2006040508.tif 000009
【図８】
2006040508.tif 000010
【図９】
2006040508.tif 000011
【図１０】
2006040508.tif 000012
【図１１】
2006040508.tif 000013
【図１２】
2006040508.tif 000014
【図１３】
2006040508.tif 000015
【図１４】
2006040508.tif 000016
【図１５】
2006040508.tif 000017
【図１６】
2006040508.tif 000018
【図１７】
2006040508.tif 000019
【図１８】
2006040508.tif 000020
【図１９】
2006040508.tif 000021
【図２０】
2006040508.tif 000022
【図２１】
2006040508.tif 000023
【図２２】
2006040508.tif 000024
【図２３】
2006040508.tif 000025